(57)【要約】【課題】ヘッドバンドが無い、左右のドライバーユニットが首の後ろを介したコードで繋がっているヘッドホン装置において、非使用時に肩に掛けておいてもズレ落ちることなく、さらには、ファッション性を向上したヘッドホン装置を提供することを目的とする。【解決手段】ヘッドバンドの無い、かつ左右のドライバーユニット２Ｌ，２Ｒが首の後ろを介したコード４で繋がっているヘッドホン装置１０において、このコード４の中間部を筒状帯１１ａに挿入すると共にこの筒状帯１１ａの両端部分に前記コード４とこの筒状帯１１ａとを固定する両端部材１２，１２を設け、帯状のストラップ部１１を形成し、さらには、この筒状帯１１ａに柔軟で曲げ等に対する追従性がある印刷または装飾１１ａを施すようにしたものである。【選択図】　図２
2004112340.tif 000002
【特許請求の範囲】
【請求項１】
ヘッドバンドの無い、かつ左右のドライバーユニットが首の後ろを介したコードで繋がっているヘッドホン装置において、
前記コードの中間部に帯状のストラップ部を形成するようにしたことを特徴とするヘッドホン装置。
【請求項２】
ヘッドバンドの無い、かつ左右のドライバーユニットが首の後ろを介したコードで繋がっているヘッドホン装置において、
前記コードの中間部を筒状帯に挿入すると共に該筒状帯の両端部分に前記コードと該筒状帯とを固定する両端部材を設けて帯状のストラップ部を形成したことを特徴とするヘッドホン装置。
【請求項３】
請求項２に記載のヘッドホン装置において、
前記両端部材は上下に分かれた部材で構成し、前記両端部材の各々の内側に前記コードと前記筒状帯を固定する突起を設け、前記両端部材の上部部材と下部部材が組み合わさったときに、前記コードと前記筒状帯を挟み込んで固定するようにしたことを特徴とするヘッドホン装置。
【請求項４】
請求項３に記載のヘッドホン装置において、
前記両端部材の上下に分かれた部材を超音波溶着で固定し、その際に前記コードと前記筒状帯を挟み込んで各々を同時に溶着固定するようにしたことを特徴とするヘッドホン装置。
【請求項５】
請求項２に記載のヘッドホン装置において、
内径が前記コードのそれより太いチューブを前記筒状帯の両端近傍の該コード上に被せ、前記両端部材で該チューブと該筒状帯とを固定するようにしたことを特徴とするヘッドホン装置。
【請求項６】
請求項１または２に記載のヘッドホン装置において、
前記ストラップ部に付属的装飾品が取り付けられる構成としたことを特徴とするヘッドホン装置。
【請求項７】
請求項６に記載のヘッドホン装置において、
前記付属的装飾品が取り付けられる構成として、前記ストラップ部に両端部材が設けられているときは該両端部材に取付け保持具が通せる孔を開けるようにしたことを特徴とするヘッドホン装置。
【請求項８】
請求項１または２に記載のヘッドホン装置において、
前記ストラップ部は断面外周が略楕円または略小判状の帯状の形状であることを特徴とするヘッドホン装置。
【請求項９】
請求項１または２に記載のヘッドホン装置において、
前記ストラップ部に柔軟で曲げ等に対する追従性がある印刷または装飾を施すようにしたことを特徴とするヘッドホン装置。
【請求項１０】
請求項１または２に記載のヘッドホン装置において、
前記ストラップ部に滑り止め加工が施されていることを特徴とするヘッドホン装置。
【発明の詳細な説明】
【０００１】
【発明の属する技術分野】
本発明は、ヘッドバンドの無い、かつ左右のドライバーユニットが首の後ろを介したコードで繋がっている所謂ネックチェーンタイプのヘッドホン装置に関する。
【０００２】
【従来の技術】
近年、若者を中心とした個性化の時代が進むにつれ、アウトドアでのファッションを重視したものが強く求められてきている。こうした時代の流れの中でヘッドバンドが無いタイプの耳掛け装着方式のヘッドホン装置等が、ヘアスタイル、ファッションを気にする人々にも広く受け入れられている。
【０００３】
従来の胸の前でコードが分岐するＹ字型のヘッドホン装置を改良した、コードを首の後ろに廻して装着する所謂ネックチェーン方式のヘッドホン装置は、使用中、ヘッドホン装置を外し首に提げる如くして肩に掛けられる便利な方式で、広く世の中に認知されており、ヘッドホン装置を装着せずに首または肩に掛けたままで街を歩き、服飾品の一部として利用することもすっかり定着してきている。
【０００４】
図１１に従来のヘッドバンドが無い耳掛けタイプのネックチェーン方式ヘッドホン装置の一例を示す。この従来のネックチューン方式のヘッドホン装置１は、渡りコード４が右側ユニット２Ｒから左側ユニット２Ｌへ渡りプラグ付きコード５へと接続され、このプラグ付きコード５が例えば図示しないリモートコントロール部を介して、あるいは直接ポータブルオーディオ機器等の接続先ジャックに接続される。３，３は左右のそれぞれの耳介に引っ掛ける如くする耳掛け部である。
【０００５】
図１２はヘッドバンドがない耳掛けタイプのネックチェーン方式ヘッドホン装置１の装着例を示す外観図である。ヘッドホン装置１の左右のユニット２Ｌ，２Ｒをユーザ６のそれぞれの耳に装着するとき、渡りコード４は耳の後ろに廻して装着される。図１３はヘッドホン装置１を装着して右後方より見た図である。渡りコード４がユーザ６の首の後ろを廻ってヘッドホン装置１の右側ユニット２Ｒに接続されている。
【０００６】
図１４はヘッドホン装置１を耳から外して肩に掛けた状態を左斜め前より見た図である。使用中、音楽などを聞かないときは渡りコード４を吊り紐としてユニット２Ｌ，２Ｒをユーザ６の肩に掛けることができる。
【０００７】
図１５は上述の耳掛けタイプのネックチューン方式ヘッドホン装置をインナーイヤータイプに置き換えたもので、図１５Ａはインナーイヤータイプのヘッドホン装置の一例を示し、図１５Ｂはインナーイヤータイプのネックチェーン方式へッドホン装置の装着例を示す概略図である。図１２と同様、渡りコード４を首の後ろに廻して、左右のユニット７Ｌ，７Ｒをそれぞれユーザ６の外耳道入口に挿入する如くして使用する。また、インナーイヤータイプのヘッドホン装置を装着した状態および肩に掛けた状態は、図１３および図１４と同様である。
【０００８】
【発明が解決しようとする課題】
ところで、上述したような使用方法、即ち、ヘッドホン装置を耳に装着せずに肩に掛けた状態で、上体を動かしたりすると渡りコード４を含むヘッドホン装置全体がずれてしまうということがある。特に、図１４に示すように、ポータブルオーディオ機器等に接続するプラグ付きコード５が常に左側から垂れ下がっている構成においては、ヘッドホン装置１を装着せずに肩に掛けたままで街を歩くといったような利用をする際に、プラグ付きコード５に引かれてヘッドホン装置１が全体的に左側（図中、矢印方向）にずれてしまい易いという不都合があった。
【０００９】
また、例えば耳掛けタイプのヘッドホン装置のようにファッション的要素が強く求められるヘッドホン装置では、従来目立たない存在であったコード部にも、装飾的な工夫を施すことが求められていた。しかも、低価格帯のヘッドホン装置においては、小型・軽量であることが求められつつ、デザイン上、外観を向上させるためにも、簡単でコンパクトな構造が求められていたが、これを満足する製品がなかった。
【００１０】
本発明は、斯かる点に鑑み、ヘッドバンドが無い、左右のドライバーユニットが首の後ろを介したコードで繋がっているヘッドホン装置において、非使用時に肩に掛けておいてもズレ落ちることなく、さらには、ファッション性を向上したヘッドホン装置を提供することを目的とする。
【００１１】
【課題を解決するための手段】
本発明ヘッドホン装置は、ヘッドバンドの無い、かつ左右のドライバーユニットが首の後ろを介したコードで繋がっているヘッドホン装置において、このコードの中間部に帯状のストラップ部を形成するようにしたものである。
【００１２】
斯かる本発明によれば、コード中間部の帯状のストラップ部が滑り止めの役割をして、首に掛けておいてもヘッドホン装置がズレ落ちることなくがなく、また、このコード中間部が太さを増すことで首に接する部分の面積が増えユーザが首に感じる重さの程度が低減される。
【００１３】
本発明ヘッドホン装置は、ヘッドバンドの無い、かつ左右のドライバーユニットが首の後ろを介したコードで繋がっているヘッドホン装置において、このコードの中間部を筒状帯に挿入すると共にこの筒状帯の両端部分にこのコードとこの筒状帯とを固定する両端部材を設けて帯状のストラップ部を形成したものである。
【００１４】
斯かる本発明によれば、両端部材によりコードと筒状帯とを固定するので、筒状帯がコード上を滑ることがなくなる。そして、コード中間部のストラップ部を構成する筒状帯が滑り止めの役割をして、首に掛けておいてもヘッドホン装置がズレ落ちることなくがなく、また、このコード中間部が太さを増すことで首に接する部分の面積が増えユーザが首に感じる重さの程度が低減される。
【００１５】
本発明ヘッドホン装置は、ヘッドバンドの無い、かつ左右のドライバーユニットが首の後ろを介したコードで繋がっているこのコードの中間部にストラップ部が形成されたヘッドホン装置において、このストラップ部に、付属的装飾品が取り付けられる構成としたものである。
【００１６】
斯かる本発明によれば、渡りコード中間部のストラップ部にアクセサリー等が取付けられるようにしたので、ファッション性が向上する。
【００１７】
本発明ヘッドホン装置は、ヘッドバンドの無い、かつ左右のドライバーユニットが首の後ろを介したコードで繋がっているこのコードの中間部にストラップ部が形成されたヘッドホン装置において、このストラップ部に、柔軟で曲げ等に対する追従性がある印刷または装飾を施すようにしたものである。
【００１８】
斯かる本発明によれば、ストラップ部に印刷や装飾を施すことでファッション性が向上するとともに、この印刷及び装飾を柔軟で曲げ等に対する追従性があるものとすることで印刷面および装飾面のひび割れや剥離等の発生を防止できる。
【００１９】
【発明の実施の形態】
以下、図１〜図１０を参照して、本発明ヘッドホン装置の実施の形態の例につき説明する。図１にネックチェーン方式のヘッドホン装置の回路図の一例を示す。左側ユニット２Ｌと右側ユニット２Ｒとからなるヘッドホン装置の結線構成として、左右のスピーカ部（ドライバーユニット）のそれぞれに樹脂で被覆されている平行コードＬｗ、Ｒｗの２芯線の一端を接続し、２芯線の他端をプラグ部のそれぞれの左側端子Ｌとグランド端子Ｇ、及び右側端子Ｒと該グランド端子Ｇとに接続される。そして、ネックチェーン方式のヘッドホン装置においては、点線で示されるようにプラグ部からの平行コードＲｗは左側ユニット２Ｌを経由して右側ユニット２Ｒへと渡り接続される構成が採られている。
【００２０】
図２は本例のヘッドホン装置の外観図を示すものである。この図２において、図１１と対応する部分については同一符号を付して示す。本例のネックチェーン方式のヘッドホン装置１０は、左側のプラグ付きコード５から左側ユニット２Ｌを経由して右側のスピーカ部に接続する例えば長さ約６０ｃｍの渡りコード４が筒状帯１１ａに通されていて、その両端に渡りコード４とこの筒状帯１１ａを固定する例えば樹脂製の両端部材（ストッパー）１２が配置されてストラップ部１１が構成されている。そして、左側ユニット２Ｌからプラグ付きコード５が例えば図示しないリモートコントロール部を介して、あるいは直接ポータブルオーディオ機器等の接続先ジャックに接続される。３，３は左右のユニット２Ｌ，２Ｒをそれぞれユーザの左右の耳介に引っ掛けて保持する如くする耳掛け部である。
【００２１】
渡りコード４の中間部分、即ち首に掛かる部分に設けられた筒状帯１１ａは、例えばナイロンの熱可塑性を利用して加工し羊毛のような外観と感触を得、弾力性がある、所謂ウーリーナイロン（Ｗｏｏｌｌｙ　Ｎｙｌｏｎ；商標登録）を使用し、中心部に孔を設けて筒状に編みこまれており、この筒状帯１１ａの両端部分をそれぞれ後述するストッパー１２で渡りコード４に固定する如くしている。
【００２２】
この筒状帯１１ａはヘッドホン装置１０を肩に掛けた際に首に当接する部分であるので、その長さは例えば２５ｃｍと首に半分廻る程度の長さがあればよい。また、この筒状帯１１ａを構成する素材は、首に密着して心地よい装着感が得られる適度な弾力性があり、また見た目にも製品全体の質感を損なうことのないものが好ましく、この条件を満たすものであれば上述のウーリーナイロンに限定されるものではない。そして、この筒状帯１１ａを構成する素材や編み込みを工夫することでヘッドホン装置を肩に掛けたときの滑り止め効果も得ることができる。
【００２３】
図３Ａは図２のヘッドホン装置１０の点線ａで囲まれた要部の拡大図であり、筒状帯１１ａと渡りコード４がストッパー１２によって固定されている状態を示している。この筒状帯１１ａには、印刷用インキとして例えば強力な接着力及び皮膜物性が非常に優れている二液反応型のウレタン樹脂を用いた装飾や染色等が施された印刷部１１ｂが設けられており、この例では、「−Ｑ２５」という文字が抜き文字で印刷されている。ウレタン樹脂系の印刷用インキは、発色性がよく、柔軟性に優れ、首に掛けたときの滑り止め効果も期待できる。また、首に接触する裏側にエンボス加工を施し表側にはファッション性を追求した所望のデザインを施したりと、この印刷部１１ｂの印刷は必要に応じて、片側だけまたは表裏両面行うようにしてもよい。
【００２４】
上述した筒状帯１１ａの印刷部１１ｂに使用する印刷用インキは、隠蔽性が高く、柔軟で筒状帯１１ａの曲げ等に対して追従性のあるものであれば、これに限られるものではない。
【００２５】
このように、ストラップ部１１に装飾や染色等を施すことにより、ファッション性を向上させることができる。さらには、企業や商品等の広告を印刷して宣伝などにも利用できることが期待できる。
【００２６】
図３Ｂに、図３Ａの筒状帯１１ａのＢ−Ｂ線断面図を示す。筒状帯１１ａは首に掛けられるとともに上述の印刷が施されるものであるので、その断面は略楕円形または小判型といったやや扁平な形状、例えば図中、短軸方向ｘが約３ｍｍ、長軸方向ｙが約７．５ｍｍと首との接触面積を大きくすることが好ましい。
【００２７】
それにより、首に接触する面積が大きくなり滑りにくくなるとともにユーザが首に感じる重さの程度が低減され、かつ後述するように首に掛けたときにユーザの後ろから見たときに印刷部１１ｂの見える面積を大きくすることができる。さらに、筒状帯１１ａの扁平率はある程度高い方がより帯状に近づき見た目にもすっきりして美感が喚起される。
【００２８】
さらにまた、図３Ａに示すように、ストッパー１２にはアクセサリー等が取付けられる構造となっており、この例では、孔１２ａが穿設されリング状の取付け保持具１３が通されており、ストッパー１２の孔１２ａに取付け保持具１３を設けこの取付け保持具１３にお気に入りのアクセサリーや小物等任意の付属品を取り付ける如くして、ファッション性を向上させることができる。この取付け保持具１３はリング状の他、ユーザが各自好みの形状のものを取付けられる。本例ではストラップ部１１にアクセサリー等を取り付けるのにストッパー１２に取付けられるよう構成したが、この方法や構造はこの例のストッパー部１２に孔１２ａを開けて取付け保持具１３を設けるといった方法に限るものではない。
【００２９】
しかして、従来装飾性が低かった渡りコード４も、筒状部１１ａ等ストラップ部１１に印刷や染色、装飾を施したり、ストッパー１２を設けたことによってアクセサリー小物も付加できるようにすることでファッション性の向上が図れる。
【００３０】
図４にストッパー１２の分解図を示す。図４Ａはストッパー下部部材の斜視図、図４Ｂはストッパー上部部材の上面図である。ストッパー１２はストッパー下部部材１２Ｂとストッパー上部部材１２Ｔそれぞれに設けた凹凸で嵌合し合うように構成されている。
【００３１】
図４Ａに示すように、ストッパー下部部材１２Ｂには、ストッパー上部部材１２Ｔを嵌合させる時に筒状帯１１ａを噛みこんでしまわないように噛みこみ防止用板２５，２５が立設され、この噛みこみ防止用板２５，２５で囲まれた枠の中の凹形状２０に筒状帯１１ａを固定するための筒状帯固定用突起２２，２２，２２，２２が設けられている。このような構造とすることで、簡単・容易な組み立てが可能となる。また、ストッパー上部部材１２Ｔにおいても、ストッパー下部部材１２Ｂに設けられた噛みこみ防止用板２５，２５と嵌合するように凹形状２０が設けられている。さらにストッパー下部部材１２Ｂには筒状帯１１ａを固定する筒状帯固定用突起２２，２２，２２，２２，２２，２２が設けられている。
【００３２】
図４Ｂに示すように、ストッパー上部部材１２Ｔにアクセサリー等取付けるための取付け保持具１３用の孔１２ａを設けているが、孔の位置はこれに限るものではない。例えば、孔が上下のストッパー部材１２Ｂ、１２Ｔを貫通する如くしてもよいし、また必要であれば、筒状帯１１ａ両端を固定する２つのストッパー１２，１２に取付け保持具１３用の孔を設けるようにしてもよい。
【００３３】
そして、ストッパー下部部材１２Ｂおよびストッパー上部部材１２Ｔの各々のコードが通る部分のＵ字状溝２１に、挿入されるコードと直交方向にコード固定用リブ２３，２３，２３，２３が設けられていて、図９に示すように、ストッパー下部１２Ｂおよびストッパー上部部材１２Ｔが嵌合する際に各々のコード固定用リブで渡りコード４を上下から押さえ込むことで渡りコード４を固定する役割をしている。ストッパー下部部材１２Ｂとストッパー上部部材１２Ｔとの超音波溶着が行われる際には、樹脂で被覆されている渡りコード４はこのコード部分の通るＵ字状溝２１，２１に設けられたコード固定用リブ２３に溶着され、筒状の筒状帯１１ａも筒状帯固定用突起２２，２２，２２，２２，２２，２２に溶着される。
【００３４】
また、ストッパー下部部材１２Ｂおよびストッパー上部部材１２ＴのＵ字状溝２１の入り口には、図４Ａ及び図４Ｂに示す如く、所定の曲率半径Ｒを有する曲線部が設けられ、この入り口の曲線部のＲは、コードの素材および径の太さ等により適宜決定する如くする。
【００３５】
図５Ａはストッパー下部部材に渡りコードおよびストラップを組んだ状態、図５Ｂは図５Ａのストッパー下部部材とストッパー上部部材とを組みかけた状態を示す外観図である。図５Ａに示すように、中心部の孔に渡りコード４を通した筒状帯１１ａの一方の端部をストッパー下部部材１２Ｂの凹形状２０にはめ込むと共に、渡りコード４をＵ字状溝２１にはめ込む。次に、図５Ｂに示すように、上述のストッパー下部部材１２Ｂの上からストッパー上部部材１２Ｔを被せる如くし、ストッパー上下部材１２Ｂおよび１２Ｔを嵌合した状態で超音波を照射する。そして、ストッパー下部部材１２Ｂの溶着固定用突起部２４，２４，２４，２４，２４，２４を溶融させてストッパー上部部材１２Ｔの対応する部分と溶着させ、上下のストッパー部材１２Ｂおよび１２Ｔを接合する如くして筒状帯１１ａおよび渡りコード４と共に固定する。
【００３６】
この例では溶着方法として、バリの発生が少なく，接着剤などの溶剤が不要な超音波溶着を採用するようにしたが、渡りコード４および筒状帯１１ａのストッパー１２への固定は、各々の材質に合わせ、上下のストッパー部材１２Ｂ，１２Ｔをネジ止めしてもよいし、接着剤により固定する如くしてもよい。
【００３７】
ヘッドホン装置では、コードの屈曲耐久性を維持するため、コードの被覆は、０．７〜１ｍｍ程度の厚みを持たせている。コードを曲げた際の最小半径は、被覆の厚さが厚くなるほど大きくなり、屈曲耐久性が向上するため、コードが重過ぎず、しなやかさを失わない範囲で質感等を考慮して決められる。そのため、前述までの渡りコード４の外周部分に筒状帯１１ａをつけた場合、渡りコード４の選定や筒状帯１１ａの選定によっては、渡りコード４の中間部分即ち筒状帯１１ａ部分が厚くなり過ぎたり、しなやかさが失われる可能性があるなど、渡りコード４の選定や筒状帯１１ａの選定に制約が生じる。
【００３８】
そこで、図６Ａに示すように、被覆の薄い、細いコード（または線材のみ）４１に筒状帯１１ａを被せた後に、筒状帯１１ａ両端の近傍に当該細いコード４１より太い径のコード被覆４２を被せ、図１０Ｂに示すように、ストッパー１２で前述同様にコード被覆４２がストッパー上部部材１２Ｔ等のＵ字状溝２１にしっかりはめ込まれる如くして、固定する。渡りコード４１にコード被覆４２を被せた部分は一種の２重被覆したような状態となる。
【００３９】
このような構成とすることにより、細径の渡りコード４１の筒状帯１１ａで覆われた中間部分は薄くしなやかな構造とし首への装着感を向上させつつも、ストッパー１２のＵ字状溝２１入り口部分にはコード被覆４２が位置することでコードの屈曲耐久性を維持することができる。
【００４０】
図７および図８はそれぞれ本例のヘッドホン装置１０を装着したユーザ６の左側面および右後方より見た図である。この図７および図８に示すように、ヘッドホン装置を装着中、首のうしろに廻した筒状帯１１ａの印刷部１１ｂがユーザ６の後ろ側からよく見える状態となる。即ち、印刷部１１ｂの装飾や染色部分が他人の目に触れやすい状態となる。
【００４１】
図９および図１０はそれぞれ本例ヘッドホン装置１０を肩に掛けた状態のユーザ６の右後方および左斜め前より見た図である。この状態でもヘッドホン装置１０を装着していた状態の図７および図８と同様、筒状帯１１ａの印刷部１１ｂがユーザ６の後ろ側からよく見える状態となっている。また、このとき、ヘッドホン装置１０の左右のユニット２Ｌおよび２Ｒは、首に掛けられた筒状帯１１ａに通された渡りコード４が吊り紐の役割をして両肩にぶら下げることができる。しかも、筒状帯１１ａ自身が滑り止めの役割をし、または筒状帯１１ａの印刷や装飾を施した印刷部１１ｂが滑り止めの役割をし、ヘッドホン装置１０がずれ落ちることが無く、使い勝手がよくなる。そして、ヘッドホン装置１０がずれ落ちにくくなることで、ユーザ６はヘッドホン装置１０がずれ落ちるのを気にすることなく肩に掛けて街を歩くことができたり、筒状帯１１ａの印刷部１１ｂを他人に見てもらうことができ使い勝手やファッション性が向上する。
【００４２】
本例では、筒状帯の両端にストッパーを設け渡りコードと固定する如くしているが、例えば、ストッパーを設けずにストラップ部と渡りコードを一体成型構造としたものや、筒状帯に渡りコードを通した後何らかの方法によってまたは材料の選定によって渡りコードと筒状帯との滑りを解消しストッパーを不要としたもの、さらにはストッパーを設けずストラップ部の端部に直接アクセサリーが取り付けられる孔等を設けるようにしたものが考えられる。
【００４３】
また、本発明は左右のドライバーユニットが首の後ろを介したコードで繋がっていればよいので、ヘッドホン装置とマイクロホンが一体構造となされた所謂ヘッドセットや、ポータブルオーディオ機器等との無線通信機能を搭載しプラグ付きコード５のないヘッドホン装置などにも適用することができる。
【００４４】
尚、本発明は上述した実施の形態の例に限られるものではなく、本発明の要旨を逸脱することなくその他種々の構成を取り得ることは勿論である。
【００４５】
【発明の効果】
斯かる本発明によれば、左右のドライバーユニット間を首の後ろで渡っているコード中間部に設けたストラップ部が滑り止めの役割をして、首に掛けておいてもヘッドホン装置がズレ落ちることなくがなく、また、このコード中間部が太さを増すことで首に接する部分の面積が増えユーザが首に感じる重さの程度が低減され、装着感、使い易さが向上する利益がある。
【００４６】
斯かる本発明によれば、両端部材により左右のドライバーユニット間を首の後ろで渡っているコードと筒状帯とを固定するので、筒状帯がコード上を滑ることがなくなる。そして、コード中間部のストラップ部を構成する筒状帯が滑り止めの役割をして、首に掛けておいてもヘッドホン装置がズレ落ちることなくがなく、また、このコード中間部が太さを増すことで首に接する部分の面積が増えユーザが首に感じる重さの程度が低減され、装着感、使い易さが向上する利益がある。
【００４７】
斯かる本発明によれば、左右のドライバーユニット間を首の後ろで渡っているコードに設けられたストラップ部に好みのアクセサリー等が取付けられるようにした場合には、ファッション性が向上する利益がある。
【００４８】
斯かる本発明によれば、ストラップ部に印刷や装飾を施すことでファッション性が向上するとともに、この印刷及び装飾を柔軟で曲げ等に対する追従性があるものとすることで印刷面および装飾面のひび割れや剥離等の発生を防止でき、様々なデザイン要求に対応できる利益がある。
【図面の簡単な説明】
【図１】ステレオヘッドホン装置の回路図である。
【図２】本発明ヘッドホン装置の外観図である。
【図３】Ａは図１の要部を示す拡大図、ＢはＢ−Ｂ線断面図である。
【図４】Ａはストッパー下部部材の外観斜視図、Ｂはストッパー上部部材の上面図を示す。
【図５】Ａはストッパー下部部材に渡りコードと筒状帯とを組んだ状態を示す外観斜視図、ＢはＡのストッパー下部部材にストッパー上部部材を組みかけた状態を示す外観斜視図である。
【図６】Ａは細いコードにコード被服を被せた状態を示す外観斜視図、Ｂはストッパー上部部材にＡの細いコードとコード被服を組んだ状態を示す外観斜視図である。
【図７】本発明ヘッドホン装置の装着例を示す左側面図である。
【図８】本発明ヘッドホン装置の装着例を示す右後方図である。
【図９】本発明ヘッドホン装置を肩に掛けた状態を示す右後方図である。
【図１０】本発明ヘッドホン装置を肩に掛けた状態を示す左斜め前図である。
【図１１】従来のヘッドバンドのない耳掛けタイプのネックチェーン方式ヘッドホン装置の一例を示す外観図である。
【図１２】図１のヘッドホン装置の装着例を示す正面図である。
【図１３】図１１のヘッドホン装置の装着例を示す右後方図である。
【図１４】図１１のヘッドホン装置を肩に掛けた状態を示す左斜め前図である。
【図１５】Ａはインナーイヤータイプのヘッドホン装置の外観図、Ｂはインナーイヤータイプのネックチェーン方式ヘッドホン装置の装着例を示す正面図である。
【符号の説明】
２Ｌ，２Ｒ・・・・ユニット、４・・・・渡りコード、１０・・・・ヘッドホン装置、１１・・・・筒状帯１１ａａ・・・・印刷部、１２・・・・ストッパー、１２ａ・・・・孔、１２Ｔ・・・・ストッパー上部部材、１２Ｂ・・・・ストッパー下部部材、１３・・・・取付け保持具、２２・・・・筒状帯固定用突起、２３・・・・コード固定用リブ、２５・・・・噛み込み防止用板、４１・・・・渡りコード、４２・・・・コード被覆
【図１】
2004112340.tif 000003
【図２】
2004112340.tif 000004
【図３】
2004112340.tif 000005
【図４】
2004112340.tif 000006
【図５】
2004112340.tif 000007
【図６】
2004112340.tif 000008
【図７】
2004112340.tif 000009
【図８】
2004112340.tif 000010
【図９】
2004112340.tif 000011
【図１０】
2004112340.tif 000012
【図１１】
2004112340.tif 000013
【図１２】
2004112340.tif 000014
【図１３】
2004112340.tif 000015
【図１４】
2004112340.tif 000016
【図１５】
2004112340.tif 000017